(57)【要約】【課題】感光体における放電量の増加を抑制して感光体層の消耗を軽減することができ低コスト・省スペースを実現すること。【解決手段】記録媒体数計上部１−１１で計上している記録媒体数が所定数に達した場合、ＣＰＵ１−１は放電電流測定部１−１３により帯電電源部から感光体への放電量の測定を行う。放電量が所定範囲を超えている場合、ＣＰＵ１−１は放電量が所定の範囲内に収まるように増幅率切り替え部１−１２によりＣＰＵ１−１から出力されるパルス波形を増幅部１−２において増幅する際の増幅率を減少させる。増幅部１−２での増幅率を減少させることによりフィルタ部１−３、カップリングコンデンサ１−４を経て昇圧部１−５より出力される交流電圧は振幅が減少され、その結果、帯電部と感光体との間における放電量を減少させることが可能となる。【選択図】　　　　図１
2004021033.tif 000002
【特許請求の範囲】
【請求項１】
円筒形の導体上に感光体が形成された回転可能の感光手段と、前記導体の周りに抵抗体層が形成され、該抵抗体層が前記感光手段に接している帯電手段と、該帯電手段により帯電された前記感光手段の表面上を走査して、前記感光体の表面に静電潜像を形成する光走査手段と、回転する前記導体の表面に塗布された帯電した着色荷電粒子を前記感光手段の表面に向けて飛翔させて、前記光走査手段で形成された静電潜像に応じた前記着色荷電粒子像を形成する現像手段と、前記感光手段に接して前記現像手段により形成された前記着色荷電粒子像を記録媒体上に転写させるとともに、前記感光手段との接触部にて記録媒体の挟持搬送を行う転写手段と、前記帯電手段に接続されて直流電圧と交流電圧を重畳した電圧を供給する第一電源供給手段と、前記現像手段の導体部に接続されて直流電圧と交流電圧を重畳した電圧を供給する第二電源供給手段と、前記転写手段に接続されて直流電圧を供給する第三電源供給手段とを備えた画像形成装置において、
前記第一電源供給手段の中に交流電圧の振幅を複数段階に切換えるための交流電圧切換え手段と、
前記第一電源供給手段から前記帯電手段を経て前記感光手段に放電される放電量を測定する放電量測定手段と、
画像形成を行った記録媒体数を計上する記録媒体数計上手段とを備え、
該記録媒体数計上手段で計上した記録媒体数が所定数に達した際に、前記放電量測定手段を用いて前記帯電手段から前記感光手段へ放電される放電量の測定を行い、該放電量が所定値となるように前記交流電圧切換え手段により前記第一電源供給手段の交流電圧の振幅を変化させ、過度の放電を抑制して前記感光体における感光体層の消耗を軽減したことを特徴とする画像形成装置。
【請求項２】
前回転時に前記放電量測定手段を用いて前記帯電手段から前記感光手段へ放電される放電量の測定を行い、画像形成時における放電量が所定値となるように前記交流電圧切換え手段により前記第一電源供給手段の交流電圧の振幅を変化させるようにしたことを特徴とする請求項１に記載の画像形成装置。
【請求項３】
後回転時には放電量が最小となるように前記交流電圧切換え手段により前記第一電源供給手段の交流電圧の振幅を設定することで、後回転時における放電量を抑制して前記感光体における感光体層の消耗を軽減したことを特徴とする請求項１又は２に記載の画像形成装置。
【請求項４】
帯電手段に接続されて直流電圧と交流電圧を重畳した電圧を供給する第一電源供給手段と、現像手段の導体部に接続されて直流電圧と交流電圧を重畳した電圧を供給する第二電源供給手段と、転写手段に接続されて直流電圧を供給する第三電源供給手段とを備えた画像形成装置における画像形成方法において、
前記第一電源供給手段の中に交流電圧の振幅を複数段階に切換えるための交流電圧切換えステップと、
前記第一電源供給手段から前記帯電手段を経て前記感光手段に放電される放電量を測定する放電量測定ステップと、
画像形成を行った記録媒体数を計上する記録媒体数計上ステップとを備え、
該記録媒体数計上ステップで計上した記録媒体数が所定数に達した際に、前記放電量測定ステップを用いて前記帯電手段から前記感光手段へ放電される放電量の測定を行い、該放電量が所定値となるように前記交流電圧切換えステップにより前記第一電源供給手段の交流電圧の振幅を変化させ、過度の放電を抑制して前記感光体における感光体層の消耗を軽減したことを特徴とする画像形成方法。
【請求項５】
前回転時に前記放電量測定ステップにより前記帯電手段から前記感光手段へ放電される放電量の測定を行い、画像形成時における放電量が所定値となるように前記交流電圧切換えステップで前記第一電源供給手段の交流電圧の振幅を変化させるようにしたことを特徴とする請求項４に記載の画像形成方法。
【請求項６】
後回転時には放電量が最小となるように前記交流電圧切換えステップにより前記第一電源供給手段の交流電圧の振幅を設定することで、後回転時における放電量を抑制して前記感光体における感光体層の消耗を軽減したことを特徴とする請求項４又は５に記載の画像形成方法。
【発明の詳細な説明】
【０００１】
【発明の属する技術分野】
本発明は、画像形成装置及びその方法に関し、より詳細には、電子写真技術を用いた画像形成装置及びその方法における高圧電源制御技術に関する。
【０００２】
【従来の技術】
図５は、従来の電子写真技術を用いた画像形成装置を示すブロック図で、図中符号１は感光部、１１は感光部の導体部、１２は感光体を示している。導体部１１はグランドに接地されている。２は帯電部、２１は帯電部の導体軸、２２は弾力性のある抵抗体を示している。ここで感光体１２と抵抗体２２は接触しており、印字動作中は感光部１および帯電部２は、図示しない駆動手段により矢印方向に回転動作を行っている。
【０００３】
符号２３は、帯電電源部で、印字動作中は、交流電圧と直流電圧を重畳した電圧を帯電部２の導体軸２１に印加する。このとき感光体１２と抵抗体２２の接触部近傍では、コロナ放電が発生して感光体１２の表面が帯電される。なお、帯電された感光体１２の表面電位は、帯電電源部２３により印加される直流電圧とほぼ等しい電位となる。また、帯電電源部２３で交流電圧を重畳するのは、コロナ放電を促進して感光体１２の表面電位を均一化するためである。
【０００４】
符号９はレーザ走査光で、帯電された感光体１２表面には、光走査部（図示せず）より画像信号に応じてｏｎ／ｏｆｆ制御が行われるレーザ走査光９が照射される。感光体１２の表面上にレーザ走査光９が照射されると、照射された感光体１２の表面部分は、生成された光電子により等価的に抵抗率が下がるため帯電電源部２３により帯電された表面電荷が減衰する。従って、レーザ走査光９が照射された部分の電位の絶対値は減少する。この結果、感光体１２の表面には画像信号に応じた静電潜像が形成される。
【０００５】
符号３は現像部で、３１は中空の導体ローラ部、３２は導体ローラ部３１の内部に埋め込まれたマグネットを示している。導体ローラ部３１の表面には、弾性のある現像ブレード３３が接している。現像部３と現像ブレード３３の間には、攪拌により負電位に帯電されたトナー（着色荷電粒子）１００が蓄積されている。
【０００６】
トナー１００自体は磁性体で、導体ローラ部３１の表面とマグネット３２で生じる電気鏡像効果による静電気力により導体ローラ部３１の表面にひきつけられる。導体ローラ部３１の表面上に付着したトナー１００の多くは、現像ブレード３３により剥ぎ取られ表面近傍のみのトナー１００が導体ローラ部３１と感光体１２との隙間部に運ばれる。なお、感光体１２と導体ローラ３１の間には微小な隙間（２００ミクロン以下）が設けてある。
【０００７】
符号３４は現像電源部で、印字動作中は交流電圧と直流電圧が重畳された電圧を現像部３の導体ローラ部３１に印加する。この現像電源部３４の電圧印加により感光体１２と導体ローラ３１の隙間部には電界が生じて導体ローラ部３１の表面に付着したトナー１００が導電ローラ３１から飛翔する。
【０００８】
ここで感光体１２の表面においてレーザ走査光９が照射されていない部分は、負電位に帯電しており、その表面電位は、現像電源部３４の直流電圧より低くなるように設定されている。このためトナー１００に対して直流的には導体ローラ３１に押し戻す方向に力が作用することとなり、飛翔したトナー１００は現像部３に戻されることになる。
【０００９】
一方、感光体１２の表面のうちレーザ走査光９が照射された部分は、表面の負電荷が減衰しているため、その部分の電位は、現像電源部３４の直流電圧より高くなる。このためトナー１００に対しては直流的には感光体１２に引き付ける力が作用することとなり、飛翔したトナー１００は感光体１２に付着することになる。このようにして感光体１２表面には、レーザ走査光９により形成された静電潜像に応じたトナー像が形成される。
【００１０】
符号４は転写手段で、４１は導体軸、４２は弾性のある抵抗体を示している。感光体１２の表面上に形成されたトナー像は、転写部４の方向に運ばれる。また、抵抗体４２の表面は感光体１２と接していて、記録媒体は抵抗体４２と感光体１２との間を搬送される。
【００１１】
符号４３は転写電源部で、記録媒体通過時には正の直流電圧を転写部４に印加する。このとき感光体１２の表面上にあるトナー１００は記録媒体の方向に引き付けられ、感光体１２上に形成されたトナー像が記録媒体に転写される。トナー像が転写された記録媒体は、その後、定着部（図示せず）へ搬送される。定着部に搬送された記録媒体は、定着部内で加熱、加圧されることにより記録媒体にトナーが固着され機外へ排出される。なお、記録媒体に転写されず感光体１２上に残ったトナー１００は、クリーニングブレード５により取り除かれ、画像形成装置は次の印字動作に備える。
【００１２】
図６及び図７は、従来の帯電電源回路を示すブロック図で、図中符号６−１は、パルス波形の出力および停止、その他画像形成装置全体の動作を制御するＣＰＵ、６−２はＣＰＵ６−１から出力されたパルス波形を増幅する増幅部、６−３は増幅部６−２で増幅された出力波形の高周波成分を遮断して方形波を正弦波に変換するためのフィルタ部、６−４はフィルタ部６−３の出力の直流成分をカットするためのカップリングコンデンサ、６−５はカップリングコンデンサ６−４を介して入力される電圧を昇圧するための昇圧部を示している。この昇圧部６−５からは昇圧された交流電圧が出力される。
【００１３】
符号６−６はダイオード、６−７はコンデンサ、６−８、６−９は抵抗、６−１０は電流制御部である。昇圧部６−５より出力された交流電圧はダイオード６−６、コンデンサ６−７により整流・平滑化される。コンデンサ６−７の両端には抵抗６−８、６−９および電流制御部６−１０が接続され、この電流制御部６−１０は、抵抗６−８に一定の電圧降下が生じるようにコンデンサ６−７から抵抗６−８、６−９に流れる放電電流の制御を行う。この結果、帯電電源部の出力端には昇圧部６−５から出力される交流電圧と抵抗６−８に生じる直流電圧が重畳された電圧が出力される。この方式は交流電圧、直流電圧ともに一定の電圧出力を行うため定電圧制御と呼ばれる。
【００１４】
一方、図７において、符号７−１は、パルス波形の出力および停止、その他画像形成装置全体の動作を制御するＣＰＵ、７−２はＣＰＵ７−１から出力されたパルス波形を増幅する増幅部、７−３は増幅部７−２で増幅された出力波形の高周波成分を遮断して方形波を正弦波に変換するためのフィルタ部、７−４はフィルタ部７−３の出力の直流成分をカットするためのカップリングコンデンサ、７−５はカップリングコンデンサ７−４を介して入力される電圧を昇圧するための昇圧部で、この昇圧部７−５からは昇圧された交流電圧が出力される。
【００１５】
また、符号７−６は、ＣＰＵ７−１から出力されたパルス波形を増幅する増幅部、７−７は増幅部７−６の出力の直流成分をカットするためのカップリングコンデンサ、７−８はカップリングコンデンサ７−７を介して入力される電圧を昇圧するための昇圧部、７−９はダイオード、７−１０はコンデンサ、７−１１は抵抗を示している。昇圧部７−８より出力された交流電圧はダイオード７−９、コンデンサ７−１０、抵抗７−１１により整流・平滑化され直流電圧を生成する。
【００１６】
この直流電圧生成部を交流電圧生成部に接続することにより、帯電電源部の出力端には、交流電圧と直流電圧が重畳された電圧が出力される。また、７−１３は電流制御部で、帯電電源の出力端に接続され出力電流を検出して出力電流が一定になるように増幅部７−２の増幅率の制御を行う。この方式は、出力電流が一定となるように制御を行うため定電流制御と呼ばれる。
【００１７】
【発明が解決しようとする課題】
このような従来の帯電電源部においては、定電圧制御は低コストで回路を構成することができるというメリットがある。その反面、感光部では帯電部からの放電により感光体層が徐々に消耗していくが、定電圧制御においては記録媒体の記録枚数増加に伴い放電量が増加していき感光体層の消耗を促進してしまう傾向があり、画像形成装置の高速化や高寿命化には不向きな制御方法であった。
【００１８】
一方、定電流制御は感光体への放電量が一定となるように制御を行うため、感光体層の消耗は、定電圧制御と比較して大幅に軽減される。このため画像形成装置の高速化や高寿命化には適した制御であるが、定電圧制御のようなダイオード、コンデンサ、抵抗および電流制御部による直流電圧生成では安定した定電流制御が不可能なため直流電圧生成のための電源回路が新たに必要となってしまう。このため画像形成装置の小形化や低コスト化には不向きな制御方法であった。
【００１９】
本発明は、このような問題に鑑みてなされたもので、その目的とするところは、感光体における放電量の増加を抑制して感光体層の消耗を軽減することができ低コスト・省スペースを実現する画像形成装置及びその方法を提供することにある。
【００２０】
【課題を解決するための手段】
本発明は、このような目的を達成するために、印字を行った記録媒体の総記録媒体数を計上する記録媒体数計上手段と、定電圧制御を用いた帯電電源部の増幅部に増幅率の切換えを段階的に行う交流電圧切換え手段と、帯電電源回路から感光手段に放電される放電量を測定する放電量測定手段とを備え、記録媒体数が所定数に達した際に放電量測定手段を用いて放電量の測定を行い、放電量が所定の範囲内に収まるように帯電電源部の交流電圧を段階的に下げていく制御を行うことにより、感光体における放電量の増加を抑制して感光体層の消耗を軽減することができ、低コスト・省スペースで画像形成装置の高速化・高寿命化が可能となる。
【００２１】
また、印字を開始する際に前回転を行い、感光体に帯電電圧を印加して感光体の表面電位を予め所定電位に帯電させる画像形成装置においては、前回転中に放電量測定を行い、放電量が所定の範囲内に収まるように帯電電源部の交流電圧を段階的に下げていく制御を行い、印字動作中には前回転で設定した交流電圧を印加することにより、感光体における放電量の増加を更に抑制して感光体層の消耗を軽減することが可能となる。
【００２２】
また、印字終了時に感光手段の除電および転写手段のクリーニング等を行うための後回転を行う画像形成装置においては、後回転中は感光体への放電量が最小となるように帯電電源部の交流電圧が最小とする制御を行うことにより、後回転時における放電による感光体層の消耗を軽減することが可能となる。
【００２３】
また、帯電手段に接続されて直流電圧と交流電圧を重畳した電圧を供給する第一電源供給手段と、現像手段の導体部に接続されて直流電圧と交流電圧を重畳した電圧を供給する第二電源供給手段と、転写手段に接続されて直流電圧を供給する第三電源供給手段とを備えた画像形成装置における画像形成方法において、前記第一電源供給手段の中に交流電圧の振幅を複数段階に切換えるための交流電圧切換えステップと、前記第一電源供給手段から前記帯電手段を経て前記感光手段に放電される放電量を測定する放電量測定ステップと、画像形成を行った記録媒体数を計上する記録媒体数計上ステップとを備え、該記録媒体数計上ステップで計上した記録媒体数が所定数に達した際に、前記放電量測定ステップを用いて前記帯電手段から前記感光手段へ放電される放電量の測定を行い、該放電量が所定値となるように前記交流電圧切換えステップにより前記第一電源供給手段の交流電圧の振幅を変化させ、過度の放電を抑制して前記感光体における感光体層の消耗を軽減したことを特徴とする。
【００２４】
また、前回転時に前記放電量測定ステップにより前記帯電手段から前記感光手段へ放電される放電量の測定を行い、画像形成時における放電量が所定値となるように前記交流電圧切換えステップで前記第一電源供給手段の交流電圧の振幅を変化させるようにしたことを特徴とする。
【００２５】
また、後回転時には放電量が最小となるように前記交流電圧切換えステップにより前記第一電源供給手段の交流電圧の振幅を設定することで、後回転時における放電量を抑制して前記感光体における感光体層の消耗を軽減したことを特徴とする。
【００２６】
【発明の実施の形態】
以下、図面を参照して本発明の実施例について説明する。
［実施例１］
図１は、本発明の画像形成装置における帯電電源部を示すブロック図で、図中符号１−１はパルスの出力および停止、その他画像形成装置全体の動作を制御するＣＰＵ、１−２はＣＰＵ１−１から出力されたパルス波形を増幅する増幅部、１−３は増幅部１−２で増幅された出力波形の高周波成分を遮断することにより方形波を正弦波に変換するフィルタ部、１−４はフィルタ部１−３の出力電圧の直流成分をカットするためのカップリングコンデンサ、１−５はカップリングコンデンサ１−４を介して入力される電圧を昇圧するための昇圧部を示している。昇圧部１−５からは昇圧された交流電圧が出力される。
【００２７】
符号１−６はダイオード、１−７はコンデンサ、１−８、１−９は抵抗、１−１０は電流制御部である。昇圧部１−５より出力された交流電圧はダイオード１−６、コンデンサ１−７により整流・平滑化される。また、コンデンサ１−７の両端には抵抗１−８、１−９および電流制御部１−１０が接続され、電流制御部１−１０は抵抗１−８に一定の電圧降下が生じるようにコンデンサ１−７から抵抗１−８、１−９に流れる放電電流の制御を行う。
【００２８】
この結果、帯電電源の出力端には昇圧部１−５から出力される交流電圧と抵抗１−８に生じる直流電圧が重畳された電圧が出力される。１−１１は画像形成装置が印字を行った記録媒体の総記録媒体数を計上する記録媒体数計上部、１−１２は増幅部１−２に接続された交流電圧切換え部、１−１３は帯電電源部の出力−ＧＮＤ間に接続された放電電流測定部を示している。
【００２９】
図２は、本実施例の増幅部および帯電電源部の出力波形及び放電電流をグラフに示した図である。
【００３０】
図３は、本実施例の制御を説明するためのフローチャートを示す図である。
まず、画像形成装置が印字を行い、前回転を開始して（Ｓ３１）、記録媒体数計上部１−１１で計上している記録媒体数が所定数に達した場合（Ｓ３２）、ＣＰＵ１−１は放電電流測定部１−１３により帯電電源部から感光体への放電量の測定を行う（Ｓ３３）。
【００３１】
放電量が所定範囲を超えている場合（Ｓ３４）、ＣＰＵ１−１は放電量が所定の範囲内に収まるように増幅率切り替え部１−１２によりＣＰＵ１−１から出力されるパルス波形を増幅部１−２において増幅する際の増幅率を減少させる（Ｓ３５）。増幅部１−２での増幅率を減少させることによりフィルタ部１−３、カップリングコンデンサ１−４を経て昇圧部１−５より出力される交流電圧は振幅が減少され、その結果、帯電部と感光体との間における放電量を減少させることが可能となる。放電量が所定範囲内であれば（Ｓ３４）、次の所定枚数まで交流電圧の振幅は変化させずに印字を行う（Ｓ３６）。
【００３２】
本実施例では、図３に示すように、この制御を所定の記録枚数毎に行い、帯電部と感光体との間における放電量が常に一定の範囲内に収まるように交流電圧の振幅を段階的に減少させることにより記録枚数が増加しても放電量の過度の増加を抑制することが可能となる。この結果、従来の定電圧制御回路と同等の低コストな回路構成を用いて感光体における感光層の消耗が軽減することができ長寿命化が可能となる。
【００３３】
［実施例２］
図４は、本実施例の制御を説明するためのフローチャートを示す図である。
【００３４】
画像形成装置が印字を開始する際に行う前回転中において（Ｓ４１）、ＣＰＵ１−１は帯電電圧の出力中に放電電流測定部１−１３により帯電部から感光体へ放電される放電量の測定を行う（Ｓ４２）。
【００３５】
このときＣＰＵ１−１は、放電電流測定部１−１３で測定される放電量が所定の範囲内に収まるように交流電圧切換え部１−１２により交流電圧の振幅を段階的に変化させていき（Ｓ４３）、放電量が最適となる交流電圧の振幅を決定して画像形成動作中はこの交流電圧を出力するように制御を行う（Ｓ４４）。放電量が所定範囲内であれば（Ｓ４３）、画像形成を開始する（Ｓ４５）。
【００３６】
実施例１では、所定の通紙枚数毎に放電量の測定をして交流電圧の切換えを行っていたが、本実施例のように前回転毎に放電量の測定をして交流電圧の切換えを行うことにより更に放電量の抑制，安定化が可能となる。この結果、従来の定電圧制御回路と同等の低コストな回路構成を用いて感光体における感光層の消耗が軽減することができ長寿命化が可能となる。
【００３７】
［実施例３］
上述した実施例１および実施例２の画像形成装置において、ＣＰＵ１−１は、後回転中には交流電圧の振幅が最小となるように交流電圧切換え部の制御を行う。後回転は感光体の除電および転写部のクリーニングを行うための制御であり、感光体への帯電印加とレーザ露光を行うことにより感光体の除電が行われる。このときの帯電印加電圧は画像形成に影響を及ぼさないため放電量が最小となる交流電圧を印加することにより放電による感光体層の消耗を軽減することができ長寿命化が可能となる。
【００３８】
【発明の効果】
以上説明したように本発明によれば、印字を行った記録媒体の総記録媒体数を計上する記録媒体数計上手段と、定電圧制御を用いた帯電電源部の増幅部に増幅率の切換えを段階的に行う交流電圧切換え手段と、帯電電源回路から感光手段に放電される放電量を測定する放電量測定手段を備え、記録媒体数が所定数に達した際に放電量測定手段を用いて放電量の測定を行い、放電量が所定の範囲内に収まるように帯電電源部の交流電圧を段階的に下げるように制御を行うことにより、感光体における放電量の増加を抑制して感光体層の消耗を軽減することができ低コスト・省スペースで画像形成装置の高速化・高寿命化が可能となる。
【００３９】
また、印字を開始する際に前回転を行い、感光体に帯電電圧を印加して感光体の表面電位を予め所定電位に帯電させる画像形成装置においては、前回転中に放電量測定を行い、放電量が所定の範囲内に収まるように帯電電源部の交流電圧を段階的に下げていく制御を行い、印字動作中には前回転で設定した交流電圧を印加することにより感光体における放電量の増加を更に抑制して感光体層の消耗を軽減することが可能となる。
【００４０】
さらに、印字終了時に感光手段の除電および転写手段のクリーニング等を行うための後回転を行う画像形成装置においては、後回転中は感光体への放電量が最小となるように帯電電源部の交流電圧が最小とする制御を行うことにより、後回転時における放電による感光体層の消耗を軽減することが可能となる。
【図面の簡単な説明】
【図１】本発明の画像形成装置における帯電電源部を示すブロック図である。
【図２】実施例１の増幅部および帯電電源部の出力波形と放電電流をグラフに示した図である。
【図３】実施例１の制御を説明するためのフローチャートを示す図である。
【図４】実施例２の制御を説明するためのフローチャートを示す図である。
【図５】従来の電子写真技術を用いた画像形成装置を示すブロック図である。
【図６】従来の定電圧制御を用いた帯電電源回路のブロック図である。
【図７】従来の定電流制御を用いた帯電電源回路のブロック図である。
【符号の説明】
１−１　ＣＰＵ
１−２　増幅部
１−３　フィルタ部
１−４　カップリングコンデンサ
１−５　昇圧部
１−６　ダイオード
１−７　コンデンサ
１−８，１−９　抵抗
１−１０　電流制御部
１−１１　記録媒体数計上部
１−１２　増幅率切換え部
１−１３　放電電流測定部
１　感光体ドラム
１１　感光体ドラム導体部
１２　感光体
２　帯電ローラ
２１　帯電ローラ導体軸
２２　抵抗体
２３　帯電電源部
３　現像器
３１　現像器導体ローラ
３２　マグネット
３３　現像ブレード
３４　現像電源部
４　転写ローラ
４１　転写ローラ導体軸
４２　抵抗体
４３　転写電源部
５　クリーニングブレード
９　レーザ走査光
１００　トナー（着色荷電粒子）
６−１，７−１　ＣＰＵ
６−２，７−２，７−６　増幅部
６−３，７−３　フィルタ部
６−４，７−４，７−７　カップリングコンデンサ
６−５，７−５，７−８　昇圧部
６−６，７−９　ダイオード
６−７，７−１０，７−１２　コンデンサ
６−８，６−９，７−１１　抵抗
６−１０，７−１３　電流制御部
【図１】
2004021033.tif 000003
【図２】
2004021033.tif 000004
【図３】
2004021033.tif 000005
【図４】
2004021033.tif 000006
【図５】
2004021033.tif 000007
【図６】
2004021033.tif 000008
【図７】
2004021033.tif 000009